(57)【要約】【課題】  γ補正にソフトウエア制御を使用せず、ハードウエア的に複数種類のガンマ補正値を切換えることができる表示装置を提供すること。【解決手段】  マトリクス状に配置された複数の表示画素、γ補正用基準電圧を発生する基準電圧発生回路、及び、前記基準電圧発生回路からのγ補正用基準電圧に応じて入力されたデジタル画像信号をＤ／Ａ変換してγ補正されたアナログ階調信号を生成し、前記アナログ階調信号をそれぞれの表示画素に供給するＤ／Ａコンバータを備えた表示装置において、前記基準電圧発生回路をそれぞれ異なるγ補正値に対応して複数個設けるて基準電圧発生回路部を形成するとともに、所定のγ補正値に対応した基準電圧発生回路の複数個のγ補正用基準電圧を同時に切り替え・選択して前記Ｄ／Ａコンバータに供給するスイッチ手段を設ける。【選択図】        図２
2006098422.tif 000002
【特許請求の範囲】
【請求項１】
マトリクス状に配置された複数の表示画素、γ補正用基準電圧を発生する基準電圧発生回路、及び、前記基準電圧発生回路からのγ補正用基準電圧に応じて入力されたデジタル画像信号をＤ／Ａ変換してγ補正されたアナログ階調信号を生成し、前記アナログ階調信号をそれぞれの表示画素に供給するＤ／Ａコンバータを備えた表示装置において、前記基準電圧発生回路をそれぞれ異なるγ補正値に対応して複数個設けて基準電圧発生回路部を形成するとともに、所定のγ補正値に対応した基準電圧発生回路の複数個のγ補正用基準電圧を同時に切り替え・選択して前記Ｄ／Ａコンバータに供給するスイッチ手段を設けたことを特徴とする表示装置。
【請求項２】
前記基準電圧発生回路は、所定の基準電圧を抵抗分圧回路によって複数個のγ補正電圧に分圧したものであることを特徴とする請求項１に記載の表示装置。
【請求項３】
前記スイッチ手段がアナログスイッチであることを特徴とする請求項１に記載の表示装置。
【請求項４】
前記基準電圧発生回路は少なくとも２個設けられ、それぞれの基準電圧発生回路で発生させる複数個のγ補正用基準電圧の組み合わせは、ＰＣモード、ダイナミックモード、ＴＶモード、シネマモードから選択された少なくとも２つであることを特徴とする請求項１に記載の表示装置。
【発明の詳細な説明】
【技術分野】
【０００１】
本発明は、液晶表示装置、プラズマディスプレイ、ＬＥＤ（発光ダイオード）表示装置等のγ補正手段を有する表示装置に関し、特に使用環境に応じて所定のγ補正値に切り替えることができるγ補正手段を有する表示装置に関する。
【背景技術】
【０００２】
陰極線管（ＣＲＴ、ブラウン管）においては、駆動電圧Ｖと発光輝度Ｙとの間の関係は比例関係ではなく、Ｙ＝ＫＶγという関係式で表現される。この定数γをガンマ（ｇａｍｍａ）と呼び、わが国のテレビジョン（ＴＶ）方式においては、あらかじめこの特性を考慮しγ＝２．２として送信側で補正を行っている。送信側で元の信号に加えられたγ補正は、画像の明るさだけでなく赤・緑・青（ＲＧＢ）の割合まで変えてしまうが、受信側ではそのγ補正された信号をＣＲＴで表示すると、駆動電圧Ｖと発光強度Ｙとの関係が比例関係となって、元の色を再現できるようになっている。
【０００３】
しかしながら、液晶表示装置、プラズマディスプレイ、ＲＧＢの３原色のＬＥＤを使用したＬＥＤ表示装置等においては、駆動電圧と輝度ないし透過光量との間の関係はＣＲＴの場合とは異なるので、ＴＶ受信機用の液晶表示装置、プラズマディスプレイあるいはＬＥＤ表示装置においては受信側でγ補正を行ってＣＲＴで表示した場合と同様の色が再現できるようにする必要がある。
【０００４】
たとえば、液晶表示装置における液晶表示パネルの各液晶セルに印加される電圧Ｖと光の透過率Ｔとの関係、即ちＶ−Ｔ特性の一例を図３に示す。この場合、８ビット＝２５６の階調表示ができる液晶表示装置とするために、印加電圧を均等に分割し、２５６階調の信号レベルとし、黒レベルの透過率を０、白レベルの透過率を１００％として正規化するならば、図４に示すような信号レベル対透過率Ｔの関係となる。ここで、信号レベルの０は黒を、信号レベルの２５６は白を意味する。
【０００５】
一方、人間の目が表示された画像に対して違和感なく自然に感じるのは、画像の信号レベルと輝度との関係が図５のＴＶモード曲線に示すような特性でなければならないことが知られている。この場合、信号レベルＸと透過率Ｔの関係は、Ｔ∝Ｘγで表される。この定数γもガンマとよばれ、液晶表示パネルではγ＝２．０〜２．６程度が良いといわれている。なお、図５のＴＶモード曲線はγ＝２．２の場合の曲線を示す。
【０００６】
したがって、図３及び図４の特性を有する液晶表示パネルを使用して、図５に示したＴＶモードの特性を持つ液晶表示装置とするためには、図４の特性を持つ液晶表示パネルの液晶セルにかける電圧として、図５に示したＴＶモードの出力と同一の輝度が得られる信号レベルに相当するアナログ電圧を液晶セルに印加すればよいことになる。
【０００７】
最近の液晶表示パネルを使用したＴＶ受信機のγ補正はソース信号を制御することで行っている（下記特許文献１及び２参照）。そこで、本発明の理解のために、以下において従来の液晶表示装置のγ補正について、図６〜図９を用いて説明する。なお、図６は従来の液晶表示装置の内部構成を示すブロックダイアグラムであり、図７は図６におけるソースドライバ回路の具体的なブロックダイアグラムであり、図８は図７のガンマ補正用の基準電圧生成回路及びアナログ／デジタル（Ａ／Ｄ）変換回路の一具体例を示す図であり、また、図９は、液晶表示パネルに対して図５に示した理想出力と同一の曲線を得るための信号レベル対印加電圧の関係を示す図である。
【０００８】
液晶表示装置１０Ｂは、図６に示したように、Ａ／Ｄ変換回路部１１及び液晶駆動回路部１２を備えている。Ａ／Ｄ変換回路部１１は、インタフェース（Ｉ／Ｆ）回路１３、Ａ／Ｄコンバータ１４及びスケーラＩＣ１５を備えており、パーソナルコンピュータ（ＰＣ）１６ないしＴＶチューナ等１７のアナログＲＧＢ信号を生成する機器から入力されたアナログＲＧＢ信号（０．７Ｖｐ−ｐ）は、Ａ／Ｄ変換回路部１１のＩ／Ｆ回路１３を経てＡ／Ｄコンバータ１４及びスケーラＩＣ１５によりたとえば赤、緑、青に対応するＲＧＢ各８ビットのデジタル信号に変換され、液晶駆動回路部１２へ入力されるようになっている。また、ＰＣ１６が直接デジタルＲＧＢ信号を生成するものであれば、このデジタルＲＧＢ信号は直接液晶駆動回路部１２へ入力される。なお、アナログＲＧＢ信号を生成する機器は、ＴＶチューナだけでなくビデオテープ再生機、ＤＶＤ再生機等も存在するが、本願明細書においてはこれらのアナログＲＧＢ信号を生成する機器をまとめてＴＶチューナ等と表現する。
【０００９】
一方、液晶駆動回路部１２は、液晶表示パネル１８、Ｉ／Ｆ回路１９、タイミングコントローラ２０、ゲートドライバ２１及びソースドライバ２２を備えており、液晶駆動回路へ入力された各種デジタルＲＧＢ信号は、Ｉ／Ｆ回路１９を経て所定の入力ソースのものが選択されてタイミングコントローラ２０へ入力され、タイミングコントローラ２０は、デジタル化されたＲＧＢの各８ビットの表示信号ＤＲ、ＤＧ、ＤＢと水平同期信号ＨＳ、スタートパルスＨＳＰ信号及びソースドライバ用クロックＳＣＬＫ信号等の制御信号をソースドライバ２２へ出力するとともに、垂直同期信号ＶＳやゲートドライバ用クロック信号ＧＣＬＫをゲートドライバ２１へ出力する。
【００１０】
ソースドライバ２２は、図７に示すように、８×３ビットラッチ２３、シフトレジスタ２４、サンプリングメモリ２５、ホールドメモリ２６、レベルシフタ２７、Ｄ／Ａコンバータ２８、出力バッファ２９、基準電圧発生回路３０を備えている。
【００１１】
タイミングコントローラ２０からソースドライバ２２へ入力されたデジタル化されたＲＧＢの各８ビットの表示信号ＤＲ、ＤＧ、ＤＢは、ラッチ２３において時分割で内部にラッチされ、サンプリングメモリ２５、ホールドメモリ２６、レベルシフタ２７を経て、水平同期信号ＨＳに同期して基準電圧発生回路３０からの基準電圧を基にＤ／Ａコンバータ２８によりＤ／Ａ変換を行うことにより階調表示用のアナログ電圧（階調表示電圧）を発生し、出力バッファ２９を経て液晶表示パネル１８のＹ１〜Ｙｎからなるｎ本の信号線３１に供給される。また、タイミングコントローラ２０からゲートドライバ２１へ供給された垂直同期信号ＶＳやゲートドライバ用クロック信号ＧＣＬＫは、ゲートドライバ２１により処理されて走査信号を液晶表示パネル１８のＸ１〜Ｘｍからなるｍ本の走査線３２に供給する。なお、これらソースドライバ２２及びゲートドライバ２１内の具体的な信号処理に関しては、既に周知（下記特許文献１及び２参照）であるので、その詳細な説明は省略する。
【００１２】
このようにして、ソースドライバ２２において、液晶表示パネル１８の信号線３１に印加する階調表示用電圧をアナログ電圧に変換することにより、液晶表示パネル１８の光透過率をＲＧＢの各画素に対して８ビット、すなわち２５６段階の階調表示を実現している。
【００１３】
この場合、基準電圧発生回路３０からの基準電圧を基にＤ／Ａコンバータ２８により階調表示用のアナログ電圧を得る際に所定のγ補正が行われるが、その基準電圧発生回路３０及びＤ／Ａコンバータ２８の一具体例を図８を用いて説明する。
【００１４】
Ｄ／Ａコンバータ２８は、表示信号ＤＲ、ＤＧ、ＤＢがそれぞれ８ビットのデジタル信号である場合、２８＝２５６とおりのアナログ電圧を発生する回路である。基準電圧発生回路３０自体は、たとえば８本の抵抗Ｒ０〜Ｒ７が直列に接続された抵抗分割回路によって図示しない定電圧源から供給されている一定の電圧ＶＲを８分割し、図５に示した理想出力曲線画が得られるように任意に選択した８個の基準電圧ＶＲ１〜ＶＲ８（ＶＲ０も含めると９個）を得、このＶＲ０〜ＶＲ８をＤ／Ａコンバータ２８に供給する。なお、ＲＶＡＲは基準電圧微調整用の半固定抵抗である。この基準電圧発生回路３０自体で生成する基準電圧は複数個であれば任意であるが、あまり数が少ないと補正間隔が粗くなるため、通常６個以上、特に高精度補正の場合には８個以上が使用されている。
【００１５】
そして、Ｄ／Ａコンバータ２８内では、基準電圧発生回路３０から供給された９個の基準電圧Ｖ０〜Ｖ８を基に、隣り合う各基準電圧間の電圧を等間隔にそれぞれ３２分割して３２×８＝２５６個の参照基準電圧Ｖ０〜Ｖ２５５を作成する。この場合、基準電圧発生回路３０は一つのソースドライバ用ＩＣに一つ設けられて共有され、Ｄ／Ａコンバータ２８はソースドライバＩＣの各信号線３１ごとに設けられる。
【００１６】
そして、Ａ／Ｄコンバータ２８内において、この２５６個の参照基準電圧Ｖ０〜Ｖ２５５のうちからラッチ２３、サンプリングメモリ２５、ホールドメモリ２６及びレベルシフタ２７を経て供給された表示信号ＤＲ、ＤＧ、ＤＢのそれぞれのデジタル信号に対応する参照基準電圧が一つ選択されてアナログ階調出力値として出力され、液晶表示パネル１８のＹ１〜Ｙｎからなるｎ本の信号線３１に供給されるようになっている。
【００１７】
このように、階調表示用アナログ電圧に相当する参照基準電圧Ｖ０〜Ｖ２５５は基準電圧発生回路３０における８本の抵抗Ｒ０〜Ｒ７の抵抗比によって決まることになから、Ｄ／Ａコンバータ２８によりγ補正された階調表示用のアナログ電圧を得る際には、図９に示したような信号レベル対印加電圧の関係が得られるように、基準電圧発生回路３０にて一定の電圧ＶＲを非等分に分割して基準電圧ＶＲ０〜ＶＲ８を発生させる方法が一般的に行われている。
【特許文献１】特開２００２−１７５０６０号公報（段落［０００２］〜［００３９］、図９、図１３、図１７）
【特許文献２】特開２００２−２５０９０８号公報（段落［０００２］〜［０００４］、［００１１］〜［００１９］、図１３〜図１５、図１７）
【発明の開示】
【発明が解決しようとする課題】
【００１８】
ところで、たとえばＴＶ量販店では画面表示の鮮やかさを強調するためにダイナミックモードで映像を表示させているが、家庭ではノーマルなＴＶモードで映像を表示させるのが一般的である。また、ＰＣやカーナビゲーション等の画像はダイナミックレンジが大きく、コントラストの高い信号が多いため、γ＝２．５程度のγ補正で使用されているが、特にシネマ等の映像信号については中間調信号成分が多いため、γ＝２．２ないしそれ以下のγ補正となせば自然な色調で表示することが可能となる。したがって、たとえばＰＣのディスプレイ用に適したγ補正がなされている液晶表示装置でＴＶ等の映像を表示させると若干暗い映像となってしまう。そのため、表示すべき映像ソースごとあるいは必要とする表示効果に応じてγ補正を変えることが要望されている。
【００１９】
従来は、前述のγ補正は所定の一定値に固定され、コントラストの制御や色のシフトをソフトウエアで対応しており、たとえばＴＶ用に適したγ補正がなされている液晶表示装置においては、ＴＶの映像信号をダイナミックモードの表示画面とする場合やシネマモードの表示画面とする場合も全てソフト制御となっていた。しかしながら、このようなソフト制御では制御用のメモリが計算処理が必要であり、構成が複雑となり、またコストも高くなってしまう。
【００２０】
本発明は、上述のような従来技術の問題点を解決すべくなされたものであって、その目的は、γ補正にソフトウエア制御を使用せず、ハードウエア的に複数種類のガンマ補正値を切換えることができる表示装置を提供することにある。
【課題を解決するための手段】
【００２１】
本願発明の上記目的は以下の構成により達成し得る。すなわち、本願の請求項１に係る表示装置は、マトリクス状に配置された複数の表示画素、γ補正用基準電圧を発生する基準電圧発生回路、及び、前記基準電圧発生回路からのγ補正用基準電圧に応じて入力されたデジタル画像信号をＤ／Ａ変換してγ補正されたアナログ階調信号を生成し、前記アナログ階調信号をそれぞれの表示画素に供給するＤ／Ａコンバータを備えた表示装置において、前記基準電圧発生回路をそれぞれ異なるγ補正値に対応して複数個設けるて基準電圧発生回路部を形成するとともに、所定のγ補正値に対応した基準電圧発生回路の複数個のγ補正用基準電圧を同時に切り替え・選択して前記Ｄ／Ａコンバータに供給するスイッチ手段を設けたことを特徴とする。
【００２２】
また、本願の請求項２に係る発明は、前記請求項１に記載の表示装置において、前記基準電圧発生回路は、所定の基準電圧を抵抗分圧回路によって複数個のγ補正電圧に分圧したものであることを特徴とする。
【００２３】
また、本願の請求項３に係る発明は、前記請求項１に記載の表示装置において、前記スイッチ手段がアナログスイッチであることを特徴とする。
【００２４】
さらに、本願の請求項４に係る発明は、前記請求項１に記載の表示装置において、前記基準電圧発生回路は少なくとも２個設けられ、それぞれの基準電圧発生回路で発生させる複数個のγ補正用基準電圧の組み合わせは、ＰＣモード、ダイナミックモード、ＴＶモード、シネマモードから選択された少なくとも２つであることを特徴とする。
【発明の効果】
【００２５】
本発明は上記のような構成を備えることにより、以下のような優れた効果を奏する。すなわち、請求項１に係る発明によれば、表示装置のγ補正値の切り替えに際し、直接スイッチ手段により切り替えることができるため、従来技術のようのようなソフト制御によるγ補正では必要であった複雑な制御用のメモリや計算手段が不要となり、簡単な構成で安価にγ補正値の切り替えができる表示装置を提供することができるようになり、加えて、Ｄ／Ａコンバータに入力される複数のγ補正用基準電圧を直接切り替えているため、簡単に色味を変化させることができるばかりか、色の再現性が良好となる。
【００２６】
また、請求項２の発明によれば、抵抗分圧回路は組み合わせる抵抗値を任意に選択できるため、所望の複数のγ補正用基準電圧の組み合わせを容易に発生させることができる。
【００２７】
また、請求項３の発明によれば、アナログスイッチは小型でありながら容易に多段かつ多接点のスイッチを得ることができるため、配線構造を複雑化することなく、所望のγ補正値に対応した複数のγ補正用基準電圧を同時に選択・切り替えすることができるようになる。
【００２８】
さらに、請求項４の発明によれば、必要に応じてＰＣモード、ダイナミックモード、ノーマルなＴＶモード、シネマモードなど、それぞれの入力画像信号に対応した最適なγ補正値を切り替え・選択することができるので、人の目に自然に見える画像表示が可能となる。
【発明を実施するための最良の形態】
【００２９】
以下、図１及び図２を参照にして本発明の実施例を説明する。ただし、以下に示す実施例は、本発明の技術思想を具体化するための表示装置として液晶表示装置の例を説明するものであるが、本発明は液晶表示装置のみでなく、マトリクス状に配置された複数の表示画素を有する表示装置、たとえばプラズマディスプレイパネル、ＬＥＤ表示装置等に対して等しく適用できるものである。
【００３０】
なお、図１は、本実施例の液晶表示装置の内部構成を示すブロックダイアグラムであり、図２は図１のソースドライバ回路における基準電圧生成回路及びＡ／Ｄ変換回路の一具体例を示す図であり、図１及び図２においては、図３〜図６に示した従来例の液晶表示パネル１０Ｂと同一の構成部分には同一の参照符号を付与してその詳細な説明は省略することとする。
【００３１】
本実施例における液晶表示装置１０Ａが図６に示した従来の液晶表示装置１０Ｂと構成が相違している点は、ソースドライバ２２がγ補正切換端子３３を有しており、このγ補正切換端子３３に入力されたγ補正切換入力に応じてソースドライバ２２のＤ／Ａコンバータ２８に入力される複数個のγ補正用基準電圧ＶＲ０〜ＶＲ８の組み合わせを全て所定のγ補正値用のものに切り替えることができるようになっている点である。
【００３２】
本実施例のソースドライバ２２における基準電圧発生回路部３４の具体的構成及びＤ／Ａコンバータ２８との接続関係を図２を用いて説明する。本実施例の基準電圧発生回路部３４は、たとえば３個の異なるγ補正値にそれぞれ対応した複数個のγ補正用基準電圧の組合せを生成する第１基準電圧発生回路３４-1、第２基準電圧発生回路３４-2、第３基準電圧発生回路３４-3と、これらの基準電圧発生回路３４-1〜３４-3からの３組のγ補正用基準電圧の組合せから任意の一組の基準電圧の組合せＶＲ０〜ＶＲ８を選択してＤ／Ａコンバータ２８に送出するγ補正電圧切換回路３５を備えている。
【００３３】
第１基準電圧発生回路３４-1、第２基準電圧発生回路３４-2及び第３基準電圧発生回路３４-3は、たとえばそれぞれ８本の抵抗Ｒ０１〜Ｒ７１、Ｒ０２〜Ｒ７２、及びＲ０３〜Ｒ７３による抵抗分圧回路からなり、それぞれの分圧抵抗Ｒ７１、Ｒ７２及びＲ７３の一方の端部は並列に接続されて基準電圧微調整用半固定抵抗ＶＶＡＲを介して図示しない定電圧源から供給され一定の電圧ＶＲが印加されている。これらの抵抗Ｒ０１〜Ｒ７１、Ｒ０２〜Ｒ７２、及びＲ０３〜Ｒ７３の組合せは、それぞれ所定のγ補正値に対応した基準電圧の組合せが得られるように選択されている。
【００３４】
また、各基準電圧発生回路３４-1〜３４-3のそれぞれの８本の抵抗による組み合わせは、一般的には並列に接続する場合を示したが、各基準電圧回路中のある特定の抵抗をそれぞれ選択し、ＶＲ０〜ＶＲ８のうちどれかを選択する方法もある。
【００３５】
この場合のγ補正値としては、たとえば、ＰＣモード、ダイナミックモード、ノーマルなＴＶモード、シネマモードなど、それぞれの入力画像信号に応じた最適な数値を適宜選択し得る。
【００３６】
そして、それぞれの抵抗の分圧点はそれぞれ平行にγ補正電圧切換回路３５のたとえば８回路３接点のアナログスイッチＳＷ０〜ＳＷ７の固定端子に接続されており、このγ補正電圧切換回路３５のγ補正入力切換端子３３に入力されたγ補正切換入力信号に基いて所定のγ補正値に対応する一組の基準電圧の組合せＶＲ０〜ＶＲ８を選択してＤ／Ａコンバータ２８に送出する。
【００３７】
なお、図２においては、第１基準電圧発生回路３４-1において生成したγ補正用基準電圧の組合せを選択してＤ／Ａコンバータ２８に送出するようになした例を示した。また、図２においては、アナログスイッチＳＷ０〜ＳＷ７の選択出力部にそれぞれバッファ回路が接続されているが、これは基準電圧発生回路部３４の出力インピーダンスを下げて十分な出力電流を供給することができるようにするためであり、Ｄ／Ａコンバータ２８の入力インピーダンスが基準電圧発生回路部３４の出力インピーダンスに比して十分に大きければ省略することができる。
【００３８】
このようにして、γ補正切換端子３３に入力されたγ補正切換入力により予め設定された所定のγ補正値に所定のγ補正値に対応する一組の基準電圧の組合せＶＲ０〜ＶＲ８を選択してＤ／Ａコンバータ２８に送出するようにしたので、液晶表示パネル１８のＹ１〜Ｙｎからなるｎ本の信号線３１には選択された所定のガンマ補正がなされたアナログ階調出力値が供給されるので、所望の色調の画像を表示させることができるようになる。この場合、アナログスイッチＳＷ０〜ＳＷ７により直接所望のγ補正値に対応する一組の基準電圧の組合せＶＲ０〜ＶＲ８を選択しているため、簡単に色味を変化させることができ、しかも、色の再現性が良好となる。
【００３９】
なお、本実施例においては、第１〜第３基準電圧発生回路３４-1〜３４-3をそれぞれ８本の抵抗による抵抗分圧回路としたものを示したが、より高精度にγ補正したい場合には、より多くの抵抗を用いてより多くのガンマ補正用基準電圧を作成すればよい。さらに、本実施例においては、第１〜第３基準電圧発生回路３４-1〜３４-3の３個の基準電圧発生回路を使用した例を示したが、この基準電圧発生回路の数は２個以上であれば任意であり、当業者が適宜に定めればよい。
【００４０】
また、本実施例では、基準電圧発生回路部３４として一方の極性の基準電圧を発生するものを例示したが、一般に液晶表示パネルの駆動方式としては液晶セルの分極を防止するために交流駆動を行うものがあるが、このような場合、基準電圧発生回路部３４として正負両極性の出力を発生するものを採用すればよい。
【図面の簡単な説明】
【００４１】
【図１】実施例の液晶表示装置の内部構成を示すブロックダイアグラムである。
【図２】図１のソースドライバ回路における基準電圧生成回路及びＡ／Ｄ変換回路の一具体例を示す図である。
【図３】液晶表示装置における液晶表示パネルの各液晶セルに印加される電圧Ｖと光の透過率Ｔとの関係を示す図である。
【図４】図３の曲線を黒レベルの透過率を０、白レベルの透過率を１００％として正規化した信号レベル対透過率Ｔの関係を示す図である。
【図５】各種モードの画像の信号レベルと輝度との関係を示す図である。
【図６】従来の液晶表示装置の内部構成を示すブロックダイアグラムである。
【図７】図６におけるソースドライバ回路の具体的なブロックダイアグラムである。
【図８】図７の基準電圧生成回路及びＡ／Ｄ変換回路の一具体例を示す図である。
【図９】液晶表示パネルに対して図５に示した理想出力と同一の曲線を得るための信号レベル対印加電圧の関係を示す図である。
【符号の説明】
【００４２】
１０Ａ、１０Ｂ    液晶表示装置
１１    Ａ／Ｄ変換回路部
１２    液晶駆動回路部
１８    液晶表示パネル
２０    タイミングコントローラ
２１    ゲートドライバ
２２    ソースドライバ
２３    ラッチ
２４    シフトレジスタ
２５    サンプリングメモリ
２８    Ｄ／Ａコンバータ
３０    基準電圧発生回路
３１    信号線
３２    走査線
３３    γ補正切換端子
３４     基準電圧発生回路部
３４-1〜３４-3    基準電圧発生回路
３５    γ補正電圧切換回路
ＶＲ０〜ＶＲ８    基準電圧
Ｖ０〜Ｖ２５５    参照基準電圧
ＳＷ０〜ＳＷ７    アナログスイッチ
【図１】
2006098422.tif 000003
【図２】
2006098422.tif 000004
【図３】
2006098422.tif 000005
【図４】
2006098422.tif 000006
【図５】
2006098422.tif 000007
【図６】
2006098422.tif 000008
【図７】
2006098422.tif 000009
【図８】
2006098422.tif 000010
【図９】
2006098422.tif 000011